(57)【特許請求の範囲】
【請求項１】
第一型枠内にセメント系材料を供給し、上下方向に延び且つ上端部に開口を有する第一冷却孔と、前記第一冷却孔の前記開口から横方向に離間した位置に設けられた位置決め手段とを備える第一構造物を構築する第一打設工程と、
前記第一冷却孔内に気体を供給する第一クーリング工程と、
前記第一構造物の上方に第二型枠を設け、前記第二型枠内にセメント系材料を供給し、前記第一冷却孔内にセメント系材料を充填するとともに、上下方向に延び且つ上端部に開口を有する第二冷却孔を備える第二構造物を構築する第二打設工程と、
前記第二冷却孔内に気体を供給する第二クーリング工程と、
を備え、
前記第二冷却孔は、下端部が前記位置決め手段に接続された状態で上下方向に延びるパイプによって形成されたものである、コンクリート構造物のクーリング工法。
【請求項２】
前記位置決め手段は前記パイプと係合可能な筒状体であり、当該筒状体と前記パイプとは外側からセメント系材料が侵入しないように接続されている、請求項１に記載のクーリング工法。
【請求項３】
前記第一冷却孔及び前記第二冷却孔の少なくとも一方は、円筒状のパイプからなり内径が２５〜５００ｍｍである、請求項１又は２に記載のクーリング工法。
【請求項４】
前記第一構造物は、前記第一冷却孔を複数備え、当該複数の冷却孔は０．５〜２ｍの間隔で立設されている、請求項１〜３のいずれか一項に記載のクーリング工法。
【請求項５】
前記第二構造物は、前記第二冷却孔を複数備え、当該複数の冷却孔は０．５〜２ｍの間隔で立設されている、請求項１〜４のいずれか一項に記載のクーリング工法。
【請求項６】
前記第一冷却孔の内面はセメント系材料の硬化物からなり、前記第一クーリング工程において、前記第一冷却孔の底部に水を溜め、前記水の中に挿入した送風管を通じて気体を供給する、請求項１〜５のいずれか一項に記載のクーリング工法。
【請求項７】
前記第二構造物から前記パイプを取り除く工程を更に備え、前記第二クーリング工程において、前記第二冷却孔の底部に水を溜め、前記水の中に挿入した送風管を通じて気体を供給する、請求項１〜６のいずれか一項に記載のクーリング工法。
【請求項８】
前記コンクリート構造物は、橋台又は橋脚である、請求項１〜７のいずれか一項に記載のクーリング工法。
【発明の詳細な説明】
【技術分野】
【０００１】
本発明は、コンクリート構造物のクーリング工法に関する。
【背景技術】
【０００２】
一般に、コンクリート構造物の施工に使用されるセメント系材料（コンクリート、モルタル、セメントペースト等）は、水和発熱に起因する温度応力により、ひび割れ等を起こす場合がある。このひび割れ等を防止する方法として、打設したセメント系材料を冷却する方法（クーリング）が知られている。
【０００３】
例えば、以下の特許文献１には、コンクリート躯体を構築する予定の領域に、垂直方向に延在する管体を複数本配設し、コンクリートの打設時に、管体に給水管を挿入して水を供給することにより、コンクリートを冷却する方法が記載されている。
【０００４】
特許文献２には、コンクリート構造物を構成するコンクリートスラブ用の型枠内に、水平方向に延在する直線状の管路を複数設置し、型枠内にコンクリートを打設した後に、各管路に冷触媒を流すことにより、コンクリートを冷却する方法が記載されている。
【０００５】
特許文献３には、鉛直に立設された中空鋼管の内部に送風ダクトを吊り下げ、中空鋼管の周囲にフレッシュコンクリートを打設するのに伴い、送風ダクトにより中空鋼管の内部に空気を供給することで、フレッシュコンクリートを冷却する方法が記載されている。
【先行技術文献】
【特許文献】
【０００６】
【特許文献１】特開２００７−３０３１５９号公報
【特許文献２】特開２００９−２３５８０８号公報
【特許文献３】特開２０１１−３２６５８号公報
【発明の概要】
【発明が解決しようとする課題】
【０００７】
しかしながら、橋脚や橋台等の一定の高さを有するコンクリート構造物を施工する際、上述のような鉛直方向のパイプに水や空気を供給する方法を適用する場合、パイプが長くなる。このため、パイプの設置が困難になり、施工に時間やコストがかかってしまう。また、水や空気を供給するためのパイプは、最終的にはセメント系材料を充填して埋める場合がある。この場合、パイプが長いと、セメント系材料の充填が困難になり、施工にさらに時間やコストがかかってしまう。さらに、上述のような水平方向のパイプに水や空気を供給する方法を適用する場合、高さ方向に多数のパイプを設ける必要があり、やはり、施工に時間やコストがかかってしまう。
【０００８】
本発明は、このような課題を解決するために成されたものであり、一定の高さを有するコンクリート構造物を構築するのに有用なクーリング工法を提供することを目的とする。
【課題を解決するための手段】
【０００９】
ここで、本発明者は、研究を重ねた結果、橋脚や橋台等のコンクリート構造物を施工する場合に、コンクリート構造物を高さ方向に複数段（リフト）に分け、各リフトについて打設及びクーリングを行う方法を考案した（図９参照）。すなわち、まず、図９（ａ）に示すように、一リフト目の型枠１０１内にパイプ１０２を配置し、型枠１０１内にセメント系材料を充填する。その後、図９（ａ）に示すように、パイプ１０２の下端部付近まで送風管１０３を挿入し、送風管１０３によりパイプ１０２内に空気を供給してクーリングを行う。次に、図９（ｂ）に示すように、一リフト目の型枠１０１の上方に二リフト目の型枠１１１を設けるとともに、一リフト目のパイプ１０２の上端部に二リフト目のパイプ１１２を接続する。そして、二リフト目の型枠１１１内にセメント系材料を充填する際、そのセメント系材料の一部を二リフト目のパイプ１１２を介して一リフト目のパイプ１０２に充填し、一リフト目のパイプ１０２を埋める。そして、図９（ｂ）に示すように、送風管１０３により二リフト目のパイプ１１２に空気を供給してクーリングを行う。以降は、上述の工程を繰り返すことで、コンクリート構造物１００を施工することができる。なお、図９に示す型枠１０１，１１１は、例えば、高さ５ｍ程度のものを想定している。
【００１０】
しかし、この方法では、一リフト目のパイプ１０２を埋める際、セメント系材料が二リフト目のパイプ１１２の上端部から一リフト目のパイプ１０２の下端部まで直接落下することになるため、落下の衝撃でセメント系材料の含有物が分離し、セメント系材料の品質が劣化する可能性がある。そこで、本発明者は、さらに研究を重ねた結果、本発明を想到するに至った。
【００１１】
本発明に係るコンクリート構造物のクーリング工法は、第一型枠内にセメント系材料を供給し、上下方向に延び且つ上端部に開口を有する第一冷却孔と、第一冷却孔の開口から横方向に離間した位置に設けられた位置決め手段とを備える第一構造物を構築する第一打設工程と、第一冷却孔内に気体を供給する第一クーリング工程と、第一構造物の上方に第二型枠を設け、第二型枠内にセメント系材料を供給し、第一冷却孔内にセメント系材料を充填するとともに、上下方向に延び且つ上端部に開口を有する第二冷却孔を備える第二構造物を構築する第二打設工程と、第二冷却孔内に気体を供給する第二クーリング工程と、を備え、第二冷却孔は、下端部が位置決め手段に接続された状態で上下方向に延びるパイプによって形成されたものである。
【００１２】
本発明に係るコンクリート構造物のクーリング工法では、第一打設工程の際、第一冷却孔の開口と離間した位置に位置決め手段が設けられ、第二打設工程の際、当該位置決め手段に第二冷却孔を形成するパイプが接続される。これにより、第一冷却孔と第二冷却孔とが独立に設けられる。従って、一定の高さを有するコンクリート構造物を施工する場合でも、各冷却孔を短くすることができため、冷却孔を容易に設けることができる。また、各冷却孔を短くすることができるため、冷却孔を埋める際にセメント系材料を容易に充填できる。従って、コンクリート構造物を容易に施工できる。
また、第二冷却孔は第一冷却孔と離間して独立に設けられるため、第二型枠に供給されたセメント系材料を、硬化した一段目のセメント系材料の上面を介して、第一冷却孔に充填することができる。このため、セメント系材料は、第一冷却孔の下端部まで直接落下することなく、第一冷却孔に充填される。従って、セメント系材料の品質の劣化を防止できる。
【００１３】
位置決め手段はパイプと係合可能な筒状体であり、当該筒状体とパイプとは外側からセメント系材料が侵入しないように接続されていることが好ましい。こうすると、第二型枠にセメント系材料を供給する際に、第二冷却孔であるパイプが詰まってしまうことを防止できる。
【００１４】
第一冷却孔及び第二冷却孔の少なくとも一方は、円筒状のパイプからなり内径が２５〜５００ｍｍであることが好ましい。こうすると、砂利を含有するコンクリートをセメント系材料としてパイプに充填できると共に、コンクリート構造物の強度を確保できる。
【００１５】
第一構造物は、第一冷却孔を複数備え、当該複数の冷却孔は０．５〜２ｍの間隔で立設されていることが好ましい。第二構造物は、第二冷却孔を複数備え、当該複数の冷却孔は０．５〜２ｍの間隔で立設されていることが好ましい。こうすると、セメント系材料を好適に冷却できる。
【００１６】
第一冷却孔の内面はセメント系材料の硬化物からなり、第一クーリング工程において、第一冷却孔の底部に水を溜め、水の中に挿入した送風管を通じて気体を供給してもよい。第二構造物からパイプを取り除く工程を更に備え、第二クーリング工程において、第二冷却孔の底部に水を溜め、水の中に挿入した送風管を通じて気体を供給してもよい。こうすると、冷却孔に供給された気体の湿度が上昇し、乾燥に起因するセメント系材料のひび割れ等を防止できる。
【００１７】
また、上述のような効果が好適に発揮されるコンクリート構造物として、橋台又は橋脚が挙げられる。
【発明の効果】
【００１８】
本発明によれば、一定の高さを有するコンクリート構造物を構築するのに有用なクーリング工法を提供することができる。
【図面の簡単な説明】
【００１９】
【図１】本発明の第一実施形態に係るクーリング工法により構築される第一構造物を示す概略斜視図である。
【図２】図１の第一構造物の上方に構築された第二構造物を示す概略斜視図である。
【図３】セメント系材料の橋脚を有する橋梁の一例を示す斜視図である。
【図４】図３の橋脚の充実断面の例を示す斜視図である。
【図５】図３の橋脚の中空断面の例を示す斜視図である。
【図６】橋台を有する橋の一例を示す斜視図である。
【図７】図６の橋台を示す斜視図である。
【図８】本発明の第二実施形態に係るクーリング工法の第一クーリング工程を実施している様子を示す概略斜視図である。
【図９】コンクリート構造物のクーリング工法を示す一例である。
【発明を実施するための形態】
【００２０】
以下、図面を参照しつつ本発明の好適な実施形態について詳細に説明する。なお、同一又は相当要素には同一の符号を付し、重複する説明は省略する。
【００２１】
[第一実施形態]
まず、本実施形態に係るクーリング工法により構築される構造物について説明する。
【００２２】
図１は本発明の第一実施形態に係るクーリング工法の第一打設工程及び第一クーリング工程を示す概略斜視図、図２は図１に続く第二打設工程及び第二クーリング工程を示す概略斜視図、図３はセメント系材料の橋脚を有する橋梁を示す斜視図である。図３に示すように、本実施形態に係るクーリング工法は、例えば、橋梁２００の橋脚２０１の構築に適用することができる。本実施形態に係るクーリング工法においては、橋脚２０１は、高さ方向に０．５〜１０ｍ程度で複数段（リフト）に分けられ、各リフトについて打設及びクーリングが行われる。
【００２３】
第一打設工程を経ることで、第一構造物１０が構築される（図１参照）。第一構造物１０は、セメント系材料が充填される第一型枠１１内に、第一冷却パイプ（第一冷却孔）１２及び第一位置決めパイプ（位置決め手段）１３を備えている。
【００２４】
第一型枠１１は、例えば、高さ０．５〜１０ｍ程度、一辺０．３〜８ｍ程度の四角筒状を呈している。充填するセメント系材料としては、例えば、セメントペースト、モルタル、コンクリート等を使用することができる。なお、セメントペーストとは、セメント及び水等を含有する材料を意味する。モルタルとは、セメント及び水等に加え、セメントよりも粒径が大きい砂を含有する材料を意味する。コンクリートとは、砂、セメント及び水等に加え、砂よりも粒径が大きい砂利を含有する材料を意味する。
【００２５】
第一冷却パイプ１２は、第一型枠１１内に複数本（ここでは４本）立設されており、略鉛直に上下方向に延びている。第一冷却パイプ１２は、上端部に開口１２ａを有している。第一冷却パイプ１２の上端部は、第一型枠１１内に充填したセメント系材料が開口１２ａから侵入しないように、セメント系材料が充填される高さよりも上方に１０ｃｍ以内程度で突出させてもよい。第一冷却パイプ１２の下端部は、有底にすること等により、第一型枠１１内に充填したセメント系材料が進入しないようになっている。第一冷却パイプ１２の下端部と第一型枠１１内の底部との距離は、例えば０〜１０ｃｍ程度となっている。
【００２６】
第一冷却パイプ１２は円筒状のパイプであり、その内径は、好ましくは２５〜５００ｍｍ程度となっており、より好ましくは１００〜１５０ｍｍ程度となっている。内径が２５ｍｍ以上であると、比較的粒径の大きい砂利等を充填できるため、後述する第二打設工程で第一冷却パイプ１２を埋める際に、セメントペーストやモルタルに比して安価なコンクリートを使用できる。また、内径が２５ｍｍ以上であると、後述するクーリング工程の際に空気を充分供給できるため、セメント系材料を好適に冷却できる。一方、内径が５００ｍｍ以下であると、クーリング工程の際に送風管１４から供給される空気の風速の低下を防止できるため、セメント系材料を好適に冷却できる。また、内径が５００ｍｍ以下であると、コンクリート構造物中のセメント系材料の密度を確保できるため、コンクリート構造物の強度を向上できる。
【００２７】
隣接する第一冷却パイプ１２，１２の間隔（軸線同士の間隔）ｄ１は、好ましくは０．５〜２．０ｍ程度であり、より好ましくは０．７５〜１．５ｍ程度である。間隔ｄ１が０．５ｍ以上であると、コンクリート構造物中のセメント系材料の密度を充分確保できるため、コンクリート構造物の強度を向上できる。一方、間隔ｄ１が２．０ｍ以下であると、クーリング工程の際に空気を充分供給できるため、セメント系材料を好適に冷却できる。第一冷却パイプ１２としては、例えば、ＰＣ鋼材で形成されたシース管や鋼管等を用いることができる。
【００２８】
第一位置決めパイプ１３は、第一冷却パイプ１２の開口１２ａと水平方向（横方向）に離間した位置に複数本（ここでは４本）設けられている。第一位置決めパイプ１３は、上端部に開口１３ａを有している。第一位置決めパイプ１３の上端部は、セメント系材料が充填される高さよりも上方に２０ｃｍ程度以上突出している。位置決め手段１３の下端部は、有底としてもよいし開放されていてもよい。
【００２９】
第一位置決めパイプ１３は円筒状のパイプであり、後述する第二冷却パイプ２２と係合可能とされている。隣接する第一位置決めパイプ１３，１３の間隔（軸線同士の間隔）ｄ２は、第一冷却パイプ１２の間隔ｄ１と同様に、好ましくは０．５〜２．０ｍ程度であり、より好ましくは０．７５〜１．５ｍ程度である。第一位置決めパイプ１３としては、例えば、第一冷却パイプ１２と同様にＰＣ鋼材で形成されたシース管や鋼管等を用いることができる。
【００３０】
第二打設工程を経ることで、第一構造物１０の上方に、第二構造物２０が構築される（図２参照）。第二構造物２０は、一リフト目の第一構造物１０と略同様に構成されており、セメント系材料が充填される第二型枠２１内に、第二冷却パイプ（第二冷却孔）２２及び第二位置決めパイプ（位置決め手段）２３を備えている。第二型枠２１は、第一型枠１１と同様に構成されている。
【００３１】
第二冷却パイプ２２は、第一冷却パイプ１２と略同様に構成されており、下端部が上述の第一位置決めパイプ１３と接続された状態で上下方向に延びている。第二冷却パイプ２２は、上端部に開口２２ａを有している。第二位置決めパイプ２３は、第一位置決めパイプ１３と略同様に構成されており、上端部に開口２３ａを有している。
【００３２】
次に、本実施形態に係るクーリング工法について説明する。
【００３３】
図１に示すように、本実施形態に係るクーリング工法では、まず、第一型枠１１及び第一冷却パイプ１２を設ける。第一冷却パイプ１２は、不図示の架台や鉄筋等に固定する。
【００３４】
次に、第一型枠１１内にセメント系材料を供給するとともに、第一冷却パイプ１２の開口１２ａと水平方向に離間した位置でセメント系材料に第一位置決めパイプ１３の下端部を埋め込み、第一構造物１０を構築する（第一打設工程）。なお、第一位置決めパイプ１３は、第一型枠１１内にセメント系材料を供給する前に、予め架台や鉄筋等に固定しておいてもよい。
【００３５】
次に、第一冷却パイプ１２の下端部付近まで送風管１４を挿入して、送風管１４により第一冷却パイプ１２内に空気（気体）を供給する（第一クーリング工程）。これにより、第一型枠１１内に充填されたセメント系材料が冷却される。また、充填されたセメント系材料の上方の架台等から、作業員が棒状のバイブレータをセメント系材料中に挿入して、セメント系材料を締め固める。
【００３６】
送風管１４の材質は熱伝達率が高いものが好ましく、例えば、亜鉛メッキを施したもの、鉄、真鍮、ブリキ、アルミ等が好ましい。また、塩化ビニルやアクリル等も適用可能である。また、送風管１４により供給する空気として外気を使用すると、冷却コストを低減することができる。
【００３７】
図２に示すように、一リフト目の構築が完了した後、次に、第一構造物１０の上方に第二型枠２１を設けるとともに、第二冷却パイプ２２の下端部を上述の第一位置決めパイプ１３の開口１３ａに差し込み、第二冷却パイプ２２と第一位置決めパイプ１３とを外側からセメント系材料が侵入しないように接続する。接続は、例えば溶接等により行うことができる。また、第二冷却パイプ２２及び第一位置決めパイプ１３にねじ山を形成し、シールテープを介して螺合してもよい。
【００３８】
次に、第二型枠２１内にセメント系材料を供給する際、併せて、第一冷却パイプ１２内にもセメント系材料を充填するとともに、第二冷却パイプ２２の開口２２ａと水平方向に離間した位置でセメント系材料に第二位置決めパイプ２３を埋め込み、第二構造物２０を構築する（第二打設工程）。なお、第二位置決めパイプ２３は、第二型枠２１内にセメント系材料を供給する前に、予め架台や鉄筋等に固定しておいてもよい。
【００３９】
ここで、第一冷却パイプ１２内にセメント系材料を充填する際、例えば、セメント系材料を供給するためのホースを第二型枠２１上より垂下させる。また、作業員を第二型枠２１内に進入させて、硬化した一リフト目のセメント系材料の上面等に配置する。そして、作業員がホースの先端を第一冷却パイプ１２の下端部から１．５ｍ以内程度の位置まで挿入する。これにより、セメント系材料を第二型枠２１上から直接落下させることなく、第一冷却パイプ１２内に充填することができる。なお、硬化した一リフト目のセメント系材料の上面等にホッパを設置して、第二型枠２２上より垂下されたホースからのセメント系材料を一旦ホッパに貯留し、別のホースをホッパから第一冷却パイプ１２の下端部まで垂下させることにより、第一冷却パイプ１２にセメント系材料を充填してもよい。
【００４０】
第一冷却パイプ１２にセメント系材料を充填させた後、作業員がバイブレータをセメント系材料中に挿入して、セメント系材料を締め固める。そして、作業員を第二型枠２２内から退避させた後、第二型枠２１内にセメント系材料を供給する。
【００４１】
次に、第二冷却パイプ２２の下端部付近まで送風管１４を挿入して、送風管１４により第二冷却パイプ２２内に空気を供給する（第二クーリング工程）。これにより、第二型枠２１内に充填されたセメント系材料が冷却される。また、作業員がバイブレータをセメント系材料中に挿入して、セメント系材料を締め固める。以降は、上述の工程を繰り返すことで、所望の高さの橋脚２０１を構築することができる。
【００４２】
以上、本実施形態に係るクーリング工法では、第一打設工程の際、第一冷却パイプ１２の開口１２ａと離間した位置に第一位置決めパイプ１３が設けられ、第二打設工程の際、当該第一位置決めパイプ１３に第二冷却パイプ２２が接続される。これにより、第一冷却パイプ１２と第二冷却パイプ２２とが独立に設けられる。従って、橋脚２０１のように一定の高さを有するコンクリート構造物を施工する場合でも、第一冷却パイプ１２及び第二冷却パイプ２２を短くすることができため、第一冷却パイプ１２及び第二冷却パイプ２２を容易に設けることができる。また、第一冷却パイプ１２を短くすることができるため、第一冷却パイプ１２を埋める際にセメント系材料を容易に充填できる。従って、橋脚２０１のようなコンクリート構造物を容易に施工できる。
【００４３】
また、本実施形態に係るクーリング工法では、第二冷却パイプ２２は第一冷却パイプ１２と離間して独立に設けられるため、第二型枠２１に供給されたセメント系材料を、硬化した一段目のセメント系材料の上面を介して、第一冷却パイプ１２に充填することができる。このため、セメント系材料は、第一冷却パイプ１２の下端部まで直接落下することなく、第一冷却パイプ１２に充填される。従って、セメント系材料の品質の劣化を防止できる。
【００４４】
また、本実施形態に係るクーリング工法では、第一位置決めパイプ１３は第二冷却パイプ２２と係合可能な円筒状体であり、第一位置決めパイプ１３と第二冷却パイプ２２とは、外側からセメント系材料が侵入しないように接続されているため、第二型枠２１にセメント系材料を供給する際に、第二冷却パイプ２２が詰まってしまうことを防止できる。
【００４５】
また、本実施形態に係るクーリング工法では、第一冷却パイプ１２及び第二冷却パイプ２２に供給する媒体として空気（気体）を使用しているため、冷却媒体として水（液体）を用いる場合のように冷却パイプを循環経路として設ける必要がなく、さらに、液漏れ等を考慮しなくてもよいため、施工が容易である。
【００４６】
また、本実施形態に係るクーリング工法では、第一冷却パイプ１２及び第二冷却パイプ２２は、円筒状のパイプからなり内径が２５〜５００ｍｍであるため、砂利を含有するコンクリートをセメント系材料としてパイプに充填できるとともに、コンクリート構造物の強度を確保でき、さらにセメント系材料を好適に冷却できる。
【００４７】
また、本実施形態に係るクーリング工法では、第一構造物１０は、第一冷却パイプ１２を複数備え、当該複数の第一冷却パイプ１２は０．５〜２ｍの間隔で立設されている。また、第二構造物２０は、第二冷却パイプ２２を複数備え、当該複数の第二冷却パイプ２２は０．５〜２ｍの間隔で立設されている。このため、セメント系材料を好適に冷却できる。
【００４８】
ここで、図４は図３の橋脚の充実断面の例を示す斜視図、図５は図３の橋脚の中空断面の例を示す斜視図である。本実施形態に係るコンクリート構造物のクーリング工法は、上記実施形態では、図４（ａ）に示すような断面四角形状の橋脚２０１の構築に適用しているが、図４（ｂ）に示すような断面円形状のものや、図４（ｃ）に示すような断面楕円形状のものにも適用できる。また、図４（ａ）〜（ｃ）に示すような充実断面状のものの他、図５（ａ）に示すような断面中空四角形状のもの、図５（ｂ）に示すような断面中空円形状のもの、図５（ｃ）に示すような断面中空楕円形状のもの等、中空断面状のものにも適用できる。さらに、本実施形態に係るコンクリート構造物のクーリング工法は、これらの断面形状以外にも、種々の断面形状のコンクリート構造物の構築に適用できることは言うまでもない。
【００４９】
また、図６は橋台を有する橋を示す斜視図、図７は図６の橋台を示す斜視図である。本実施形態に係るコンクリート構造物のクーリング工法は、上記実施形態では、橋脚２０１（図３参照）の構築に適用しているが、図６，７に示すような、橋３００の橋台３０１の構築にも適用できる。さらに、本実施形態に係るコンクリート構造物のクーリング工法は、これら橋脚２０１や橋台３０１の構築以外にも、種々のコンクリート構造物の構築に適用できることは言うまでもない。
【００５０】
[第二実施形態]
図８は、本発明の第二実施形態に係るクーリング工法の第一打設工程及び第一クーリング工程を示す概略斜視図である。図８に示すように、第二実施形態に係るクーリング工法は、冷却孔の底部に水Ｗを溜め、当該水Ｗの中に挿入した送風管１４を通じて気体を供給する点で、第一実施形態に係るクーリング工法（図１参照）と相違する。
【００５１】
具体的には、本実施形態に係るクーリング工法では、まず、第一実施形態に係るクーリング工法と同様に、上述の第一打設工程を行い、第一冷却パイプ１２（図８において不図示）及び第一位置決めパイプ１３を備える第一構造物１０を構築する。この際、第一冷却パイプ１２として、打設後に除去が可能ないわゆるスパイラル管を使用しておく。
【００５２】
次に、第一型枠１１内に充填したセメント系材料がある程度硬化した時点で、上述の第一冷却パイプ１２を除去し、内面がセメント系材料の硬化物からなる第一冷却孔１５を形成する。
【００５３】
次に、上述の第一クーリング工程を行う際に、第一冷却孔１５の底部に水Ｗを溜め、当該水Ｗの中に挿入した送風管１４を通じて空気を供給する。これにより、第一冷却孔１５に供給された空気の湿度を上昇させる。第一クーリング工程が終了後、第一冷却孔１５の底部に溜めた水Ｗをポンプ等で汲み上げ除去する。
【００５４】
次に、上述の第二打設工程及び第二クーリング工程を行う。この際、第一打設工程及び第一クーリング工程と同様に、第二冷却パイプ２２としてスパイラル管を使用し、セメント系材料がある程度硬化した時点で第二冷却パイプ２２を除去し、内面がセメント系材料からなる第二冷却孔２５を形成する。そして、第二冷却孔２５の底部に水を溜めて、空気を供給する。
【００５５】
以上のような第二実施形態に係るクーリング工法は、第一実施形態に係るクーリング工法と同様な効果を奏する。加えて、第二実施形態に係るクーリング工法では、第一冷却孔１５の内面はセメント系材料の硬化物からなり、第一クーリング工程において、第一冷却孔１５の底部に水を溜め、水の中に挿入した送風管１４を通じて空気を供給する。さらに、第二構造物２０から第二冷却パイプ２２を取り除く工程を更に備え、第二クーリング工程において、第二冷却孔２５の底部に水を溜め、水の中に挿入した送風管１４を通じて空気を供給する。このため、第一冷却孔１５及び第二冷却孔２５に供給された空気の湿度が上昇し、乾燥に起因するセメント系材料のひび割れ等を防止できる。
【００５６】
以上、本発明に係るクーリング工法について詳細に説明したが、本発明は上記実施形態に限定されるものではない。例えば、上記実施形態においては、位置決め手段として、円形状のパイプである第一位置決めパイプ１３を用いているが、これに代えて、第一冷却パイプ１２の開口１２ａから水平方向に離間した位置に、鉄筋等により形成された突起を上方に突出するように一本又は複数本設け、この突起に第二冷却パイプ２２を係合させてもよい。要は、第二打設工程の際に、第一冷却パイプ１２の開口１２ａから水平方向に離間した位置に、第二冷却パイプ２２を位置決めできるものであればよい。第二位置決めパイプ２３についても、同様である。
【符号の説明】
【００５７】
１０…第一構造物、１１…第一型枠、１２…第一冷却パイプ（第一冷却孔）、１３…第一位置決めパイプ（位置決め手段）、１５…第一冷却孔、２０…第二構造物、２１…第二型枠、２２…第二冷却パイプ（第二冷却孔）、２５…第二冷却孔、２０１…橋脚、３０１…橋台。
【図１】
0005779113.tif 000002
【図２】
0005779113.tif 000003
【図３】
0005779113.tif 000004
【図４】
0005779113.tif 000005
【図５】
0005779113.tif 000006
【図６】
0005779113.tif 000007
【図７】
0005779113.tif 000008
【図８】
0005779113.tif 000009
【図９】
0005779113.tif 000010